(57)【要約】【課題】被写体となる人物が容易に笑顔を作り出せるような案内をして、その案内に従った発話によって作られたより自然な笑顔をタイムリーに撮影する人物撮影装置を提供すること。【解決手段】複数の撮影モードを有する人物撮影装置であって、被写体となる人物に対し、指定する２種類の単語を指定する順序で発声するように案内する案内手段と、前記人物が発声する単語を認識する音声認識手段と、前記２種類の単語のうち、最初の順番の単語が発声されたことを認識したときに、前記複数の撮影モードの一つを選択する選択手段とを有することを特徴とする人物撮影装置。【選択図】図２
2008026604.tif 000002
【特許請求の範囲】
【請求項１】
複数の撮影モードを有する人物撮影装置であって、
被写体となる人物に対し、指定する２種類の単語を指定する順序で発声するように案内する案内手段と、
前記人物が発声する単語を認識する音声認識手段と、
前記２種類の単語のうち、最初の順番の単語が発声されたことを認識したときに、前記複数の撮影モードの一つを選択する選択手段と
を有することを特徴とする人物撮影装置。
【請求項２】
２番目に発声された単語の第１音節を前記音声認識手段により認識した後に、予め設定したタイミングで撮影を行うことを特徴とする請求項１に記載の人物撮影装置。
【請求項３】
２番目に発声された単語の第１音節を前記音声認識手段により認識した後に、予め設定した周期で複数回の撮影を行うことを特徴とする請求項１に記載の人物撮影装置。
【請求項４】
被写体となる人物に対し、指定する２種類の単語を指定する順序で発声するように案内して、
前記２種類の単語のうち、最初の順番の単語が発声されたことを認識したときに、撮影の準備を開始し、２番目の単語の第１音節が認識されたときに、予め設定したタイミングで撮影を行うことを特徴とする人物撮影装置の制御方法。
【請求項５】
被写体となる人物に対し、指定する２種類の単語を指定する順序で発声するように案内して、
前記２種類の単語のうち、最初の順番の単語が発声されたことを認識したときに、撮影の準備を開始し、２番目の単語の第１音節が認識されたときに、予め設定した周期で複数回の撮影を行うことを特徴とする人物撮影装置の制御方法。
【発明の詳細な説明】
【技術分野】
【０００１】
本発明は、人物の顔を撮影する人物撮影装置、及び人物撮影装置の制御方法に関する。
【背景技術】
【０００２】
人物撮影装置としては、証明写真撮影システム、観光スポット、あるいは娯楽施設での記念写真撮影装置が知られている。また、最近では、友人と一緒に撮った顔写真シールプリントを得るための、もしくは友人との交換を目的とした顔写真シールプリントを作成するためのシールプリント作成装置も多く見られる。
【０００３】
証明写真撮影装置は、履歴書、学校や各種資格試験の受験申請書、あるいは、パスポートの交付を申請する際の交付申請書、等々に添付するための必要な写真を、短時間の中に自分で用意できる便利な装置として、多くの場所に設置され、利用されている。これらの証明写真撮影システムにより、自分の顔を自分で撮影することにより作成したプリントは、認証や照合のために用いられる証明写真としての必須要件、例えば、写真の大きさ、顔の位置、目つぶりがない等の要件を満たしているものの、自分の気に入った顔を撮影した写真ではないこともある。
【０００４】
上述したような人物撮影装置で、気に入った表情の、特に笑顔の顔写真を撮りたいという要求もあるが、被写体となる人物は、撮影の瞬間に丁度合うように笑顔を作り出すということは容易なことではない。
【０００５】
このような状況を改善するために、被写体である人物が、いろいろな表情をして、リモート式のシャッター操作手段を操作することにより、良い表情の自分自身を撮影するというような案もある（例えば、特許文献１参照。）。
【０００６】
しかしながら、本来、表情を作る表情筋の多くは不随意な動きが多く、どの様に動かせば良いのか分からず、たとえ笑顔であったにしても不自然な表情になり易い。従って、良い表情を作るという意識と、シャッターチャンスを的確に捕まえようという意識の両方を同時に働かせることは相当に困難である。
【特許文献１】特開２０００−１４７６４１号公報
【発明の開示】
【発明が解決しようとする課題】
【０００７】
本発明は、上述したような状況に鑑みてなされたもので、その目的は、被写体となる人物が容易に笑顔を作り出せるような案内をして、その案内に従った発話によって作られたより自然な笑顔をタイムリーに撮影する人物撮影装置を提供することにある。
【課題を解決するための手段】
【０００８】
上記課題は、以下の発明の実現により達成される。
１．複数の撮影モードを有する人物撮影装置であって、
被写体となる人物に対し、指定する２種類の単語を指定する順序で発声するように案内する案内手段と、
前記人物が発声する単語を認識する音声認識手段と、
前記２種類の単語のうち、最初の順番の単語が発声されたことを認識したときに、前記複数の撮影モードの一つを選択する選択手段と
を有することを特徴とする人物撮影装置。
２．２番目に発声された単語の第１音節を前記音声認識手段により認識した後に、予め設定したタイミングで撮影を行うことを特徴とする１項に記載の人物撮影装置。
３．２番目に発声された単語の第１音節を前記音声認識手段により認識した後に、予め設定した周期で複数回の撮影を行うことを特徴とする１項に記載の人物撮影装置。
４．被写体となる人物に対し、指定する２種類の単語を指定する順序で発声するように案内して、
前記２種類の単語のうち、最初の順番の単語が発声されたことを認識したときに、撮影の準備を開始し、２番目の単語の第１音節が認識されたときに、予め設定したタイミングで撮影を行うことを特徴とする人物撮影装置の制御方法。
５．被写体となる人物に対し、指定する２種類の単語を指定する順序で発声するように案内して、
前記２種類の単語のうち、最初の順番の単語が発声されたことを認識したときに、撮影の準備を開始し、２番目の単語の第１音節が認識されたときに、予め設定した周期で複数回の撮影を行うことを特徴とする人物撮影装置の制御方法。
【発明の効果】
【０００９】
本発明により、誰にでも自然な笑顔の顔写真を容易に得ることができる人物撮影装置が実現される。
【発明を実施するための最良の形態】
【００１０】
以下、本発明の実施の形態を図を基に説明する。
【００１１】
図１は、人物撮影装置Ａの外観図である。
【００１２】
図２は、人物撮影装置Ａの構成を説明する概念図である。
【００１３】
図３は、人物撮影装置Ａの正面パネルの概念図である。
【００１４】
人物撮影システムＡは、ボックスＢと、その内部に備えられた、マイクロホン１０、スピーカ２０、画像表示手段３０、指示操作手段４０、タッチパネル４５、撮影手段５０、照明手段５５、プリント手段６０、記憶媒体出力手段７０、料金支払い手段８０、通信手段ＴＴ、椅子Ｄ、制御手段Ｃ等から構成されている。
【００１５】
ボックスＢは、被写体である人物Ｐを外界から遮断して、撮影時におけるプライバシーを保護すると共に、外光の影響を抑えて、撮影に際しての照明条件を内部の照明手段５５により制御できるようにするという役割もある。また、人物撮影システムＡが屋外に設置される場合には、屋外ハウスとして風雨に対応する役割も持つ。
【００１６】
撮影手段５０は、デジタル式カメラで、制御手段Ｃから送られる撮影開始信号により人物Ｐの顔をハーフミラー３１を介して撮影する。撮影により得た顔画像情報は、制御手段Ｃに送られ、メモリＭの所定のファイルに格納される。
【００１７】
照明手段５５は、複数の照明ランプとストロボからなり、制御手段Ｃの指示信号により、照明の強さや点灯のタイミング動作が個別に制御される。
【００１８】
画像表示手段３０は、ＣＲＴ、液晶、もしくはプラズマによる表示装置であり、制御手段Ｃから送られた画像や文字を表示する。本実施の形態においては、画像表示手段５にて表示された画像は、ハーフミラー３１と、タッチパネル４５を介してボックスＢ内の人物Ｐの目に映り、人物にはタッチパネル４５が画像表示手段３０の画像表示面のように見える。
【００１９】
本実施の形態における指示操作手段４０はタッチパネル４５と、その下方に配置された押しボタンから構成される。人物Ｐは、画像表示手段３０により表示された画像、および文字を見ながらタッチパネル４５の表面に触れることにより、指示や選択の操作ができる。
【００２０】
料金支払い手段８０は、人物Ｐが投入したコイン、もしくは挿入した紙幣の金額を確認した後、料金受領確認の信号を制御手段Ｃに送るもので、自動販売機で多用されている公知のものである。
【００２１】
通信手段ＴＴは、人物撮影システムＡの管理と、画像転送のために用いられるものである。管理の方法としては、制御手段Ｃから送られた稼働状況をはじめ各種データを管理センタに送信すると共に、管理センタから送られたバージョンアップのためのソフトを受け取り、制御手段Ｃに転送する方法がとられている。また、画像転送機能は、撮影された画像を、通信路であるネットワークを介して転送するために使用される。
【００２２】
プリント手段６０は、選択されてメモリＭにストアされた顔画像をハードコピーとして出力する手段であり、銀塩方式、熱溶融転写方式、インクジェット方式等適宜な方式による画像出力手段が採用される。
【００２３】
記憶媒体出力手段７０は、フロッピー（登録商標）ディスク、ＣＤ、ＤＶＤ、ＭＯ等の一般に使用されている記憶媒体に、画像情報を出力するものであり、採用する記憶媒体に適合する手段が選択される。なお、場合によっては、複数種類の記憶媒体出力手段を設けて、複数種類の記憶媒体を選択できるようにしても良い。
【００２４】
図４は、人物撮影装置Ａの制御関係を示すブロック図である。
【００２５】
制御手段ＣはＣＰＵ、メモリ、画像処理のための演算ユニット、駆動回路等を有するコンピュータシステムであり、他の制御手段とは、入出力Ｉ／Ｏポート、シリアルあるいはパラレルのインターフェイスを介して情報の交換を行っている。なお、本図では本実施の形態の説明に直接関係しないブロックの記載が省略されている。
【００２６】
図５は、この人物撮影装置により、被撮影者である人物Ｐが顔写真を撮影する時の操作と、それに対応して行われる処理を示すフローチャートである。
【００２７】
人物Ｐが料金支払い手段８０に料金を投入すると（ステップＳ１：Ｙ）、プログラムである案内手段１００が実行され、音響手段であるスピーカ２０から出力される音声と、画像表示手段３０による表示とにより撮影前の案内が行われる（ステップＳ２）。
【００２８】
前記案内の中には、撮影目的が選択できることを説明する案内が含まれている。ここでいう撮影目的とは、例えば、証明写真を作成するための撮影、あるいは笑顔写真を作成するための撮影というものである。
【００２９】
案内手段の実行により行われる音声と表示とは、例えば、「証明写真を撮る場合には、では、撮影を開始しますという合図の音声の後に時間と共に変化する表示マークの点滅が停止した時に撮影が行われます。もし、笑顔写真を撮る場合には、撮影を開始しますという合図の音声があってから、前記表示マークが変化している内に、「はい、チーズ」と言って下さい、カメラが最適なタイミングで撮影を行います。」という様なものである。なお、本例では、笑顔を作り出すための最も一般的な単語として知られる「チーズ」を採用しているが、笑顔を作り出す単語であれば何でも良い。また、「はい」についても、発声しやすく、且つ音声認識し易い短い単語であれば何でも良い。
【００３０】
人物Ｐが指示操作手段４０を操作することによって、撮影開始ＯＫの指示が出されると（ステップＳ３：Ｙ）、タイマーＴＭ１が一旦リセットされた後、計時を開始する（ステップＳ４）。
【００３１】
前記タイマーＴＭ１が、予め設定した時間Ｔ１内に、第１の単語である「はい」の発声が、マイクロホン１０を介して制御手段Ｃに入力され、入力された音声波形は加工されて音声情報となる。入力された音声が、公知の技術手段である音声認識手段２００による認識処理により、「はい」であると認識された時には（ステップＳ５：Ｎ）、笑顔写真を撮影する撮影モード２による撮影を行い（ステップＳ７）、また、第１の単語である「はい」の発声が、予め設定した時間Ｔ１内に認識されなかった場合には、証明写真を撮影する撮影モード１による撮影を行う（ステップＳ６）。撮影が終わると、撮影モード１又は２により撮影した顔画像を画像表示手段３０に出力して撮影モードの選択ルーチンから出る。
【００３２】
なお、上述したステップＳ５の処理を行うプログラムを、選択手段と称す。
【００３３】
また、上記説明は撮影モードが２つの場合を基に行ったが、「はい」という単語以外に他の単語（例えば「いち」、「に」等）を設け、この単語を認識した場合には、予め設定した所定の撮影モードを選択するようにしてもよい。即ち、撮影モードの数は必要に応じ作られるもので、制限はない。
【００３４】
また、もし、画像表示手段３０に表示された顔画像が、被写体となった人物Ｐにとって満足できないものであれば、指示操作手段４０により「ＮＯ」の入力をして、再度ステップＳ２に戻り撮影を行うような処理ステップを追加してもよい。
【００３５】
表示された顔画像は、当該の出力プログラムが実行されることによりプリント出力手段６０が制御され、指定されたフォーマットのプリントとして出力される。また、前記顔画像のプリントに対応する画像情報は、指示操作手段４０からの指示情報に応じて記憶媒体出力手段７０が制御され、指定する記憶媒体に出力される。
【００３６】
図６は、図５で示すフローチャート中の撮影モード１（証明写真撮影）の流れを示すフローチャートである。
【００３７】
タイマーＴＭ１の計時値が、予め設定された値であるＴ１に到達しても第１の単語である「はい」の発声が音声認識手段２００により認識されなかった場合、証明写真を撮影する撮影モード１に入る（図５、ステップＳ５：Ｎ）。
【００３８】
タイマーＴＭ１の計時の進行と共に、音、表示されたマークの点滅の周期が短くなり、タイマーＴＭ１の値が、予め設定したＴ２に到達すると（ステップＳ６１：Ｙ）、撮影が行われる（ステップＳ６２）。なお、このようなステップＳ６１〜Ｓ６２で示す撮影処理は、多くの人物撮影装置にて行われる公知の技術である。
【００３９】
撮影モード１での撮影が終わると、図５のステップＳ８に進む。
【００４０】
図７は、図５で示すフローチャート中の撮影モード２（笑顔写真）の流れを示すフローチャートである。
【００４１】
タイマーＴＭ１の計時値が、予め設定された値であるＴ１に到達する前に第１の単語である「はい」の発声が音声認識手段２００により認識されると、笑顔写真を撮影する撮影モード２に入る（図５、ステップＳ５：Ｙ）。
【００４２】
次に、第２の単語である「チーズ」の最初の音節である「チ」の発声が認識されると（ステップＳ７１：Ｙ）、第２のタイマーＴＭ２が一旦リセットされた後、計時を開始する。
【００４３】
タイマーＴＭ２の計時値が予め設定された値Ｔ２に到達すると（ステップＳ７３：Ｙ）、撮影が行われる（ステップＳ７４）。
【００４４】
なお、前記予め設定された値Ｔ２は、「チーズ」の「チ」が発声されてから、人物Ｐに最も好ましい笑顔が生まれるまでのタイミングをとる時間として設定されるもので、実験により決められるものである。
【００４５】
また、撮影は１回に限定されるもではなく、短い周期（例えば、１／５秒毎）に、複数回の撮影を行うようにしても良い。この場合、撮影の開始は前記「チ」の発声を認識した直後から撮影を開始しても良い。なお、このように撮影した複数の顔画像は、画像表示手段５に表示して、これらの顔画像の中から最も良いと思われるものを被写体となった人物Ｐが選択できるようにすることが好ましい。
【００４６】
撮影モード２での撮影が終わると、図５のステップＳ８に進む。
【００４７】
以上説明したように、証明写真の撮影以外に、シャッターチャンスが的確な笑顔の撮影ができる人物撮影装置が実現される。
【図面の簡単な説明】
【００４８】
【図１】人物撮影装置の外観図である。
【図２】人物撮影装置の構成を説明する概念図である。
【図３】人物撮影装置の正面パネルの概念図である。
【図４】人物撮影装置の制御関係を示すブロック図である。
【図５】顔写真を撮影する時の操作と、それに対応して行われる処理を示すフローチャートである。
【図６】証明写真処理の流れを示すフローチャートである。
【図７】笑顔写真処理の流れを示すフローチャートである。
【符号の説明】
【００４９】
１０  マイクロホン
２０  スピーカ
３０  画像表示手段
４０  指示操作手段
５０  撮影手段
５５  照明手段
６０  プリント手段
７０  記憶媒体出力手段
８０  料金支払い手段
９１  タッチパネル
Ａ  人物撮影装置
Ｂ  ボックス
Ｃ  制御手段
Ｐ  人物
【図１】
2008026604.tif 000003
【図２】
2008026604.tif 000004
【図３】
2008026604.tif 000005
【図４】
2008026604.tif 000006
【図５】
2008026604.tif 000007
【図６】
2008026604.tif 000008
【図７】
2008026604.tif 000009